(57)【要約】【課題】  脱臭フィルタ再生時の臭気原因物質の脱臭フィルタからの漏洩を防止しつつ、脱臭フィルタの効率的な再生を確保し得る空気清浄機を提供する。【解決手段】  空気吸入口１から空気を吸入し、空気吐出口２から清浄化された空気を吐出する空気流路３を有する空気清浄機において、空気流路３内に、順次、集塵フィルタ４、脱臭フィルタ５、触媒活性化手段６、及び、送風手段７を備え、脱臭フィルタ５が、触媒活性化手段６により活性化されることにより空気吸入口１から吸入した空気中の臭気原因物質を分解し得る触媒８を具備する一方、触媒活性化手段６が、触媒８を活性化する脱臭フィルタ再生運転中に、空気流路３を閉塞し得る一または複数の空気流路開閉手段９を有するので、脱臭フィルタ再生運転中に、空気流路開閉手段９の少なくとも１つを閉じることにより、臭気原因物質が生活空間内に再放出されることを防止することができる。【選択図】図１
2005098621.tif 000002
【特許請求の範囲】
【請求項１】
空気吸入口から空気を吸入し、この空気を清浄化した後、空気吐出口から清浄化された空気を吐出する空気流路を有する空気清浄機において、前記空気流路内に、すくなくとも、集塵フィルタ、脱臭フィルタ、触媒活性化手段、及び、送風手段を備えていて、前記脱臭フィルタが、前記触媒活性化手段により活性化されることにより前記空気吸入口から吸入した空気中の臭気原因物質を分解し得る触媒を具備する一方、前記触媒活性化手段が、前記触媒を活性化する脱臭フィルタ再生運転中に、前記空気流路を閉塞し得る一または複数の空気流路開閉手段を有することを特徴とする空気清浄機。
【請求項２】
前記空気流路開閉手段を前記送風手段と前記空気吐出口との間に有することを特徴とする請求項１記載の空気清浄機。
【請求項３】
前記空気流路開閉手段を前記空気吸入口と前記脱臭フィルタとの間に有することを特徴とする請求項１または請求項２記載の空気清浄機。
【請求項４】
前記脱臭フィルタ再生運転中に、前記空気流路開閉手段が前記空気流路を閉塞するとともに、前記送風手段を所定時間駆動せしめ得ることを特徴とする請求項１乃至請求項３のいずれかに記載の空気清浄機。
【請求項５】
前記脱臭フィルタ再生運転終了に際して、前記触媒活性化手段の出力を停止した後、所定時間、前記送風手段を駆動せしめ得ることを特徴とする請求項４記載の空気清浄機。
【請求項６】
前記脱臭フィルタ再生運転終了に際して、前記触媒活性化手段の出力を停止した後、前記空気流路開閉手段が前記空気流路を開放する前の所定時間、前記送風手段を駆動せしめ得ることを特徴とする請求項５記載の空気清浄機。
【請求項７】
前記脱臭フィルタ再生運転中に、前記空気流路開閉手段が前記空気流路を閉塞するとともに、前記触媒活性化手段を間欠的に所定時間停止せしめ得ることを特徴とする請求項１乃至請求項６のいずれかに記載の空気清浄機。
【請求項８】
前記脱臭フィルタ再生運転終了に際して、前記触媒活性化手段の出力を停止した後、前記空気流路開閉手段が前記空気流路を開放する前の所定時間、前記触媒活性化手段の出力停止を継続せしめ得ることを特徴とする請求項７記載の空気清浄機。
【発明の詳細な説明】
【技術分野】
【０００１】
本発明は、室内の空気中に含まれる粉塵や臭気等を除去して空気の清浄化を行う空気清浄器に関するものである。
【背景技術】
【０００２】
従来より、空気中に含まれる粉塵等を除塵フィルタにより除去し、臭気成分を脱臭フィルタにより除去する方式の空気清浄機が知られている。かかる脱臭フィルタとしては、各種臭気原因物質を分解し得る各種触媒を使用したものがあり、これらの中には、脱臭フィルタ内に活性炭等の多孔質の吸着剤を内蔵し、この吸着剤の細孔部にかかる触媒を配置し、触媒活性化手段を用いて吸着剤に吸着した臭気分子を分解させることで脱臭フィルタの再生を図り、脱臭フィルタの長寿命化を図る方式のものがある。
【０００３】
本願出願人においても、特開２０００−２７９８４４号公報、特開２００１−１７８８１１号公報等において、脱臭フィルタの効率的な再生を図った空気清浄機を提案しているが、かかる脱臭フィルタの再生を前提とした空気清浄機においては、依然として多くの解決すべき課題も残されている。
【０００４】
例えば、従来の空気清浄機においては、脱臭フィルタの再生に際して、この脱臭フィルタから吸着した臭気原因物質が脱離し、生活空間内に再放出されるという未解決の問題が残されていた。
【特許文献１】特開２０００−２７９８４４号公報
【特許文献２】特開２００１−１７８８１１号公報
【発明の開示】
【発明が解決しようとする課題】
【０００５】
本発明は、上記従背景技術に鑑みて発明されたものであり、その課題は、脱臭フィルタ再生時の臭気原因物質の脱臭フィルタからの漏洩を防止しつつ、脱臭フィルタの効率的な再生を確保し得る空気清浄機を提供することにある。
【課題を解決するための手段】
【０００６】
上記課題を解決するために、請求項１に係る発明の空気清浄機にあっては、空気吸入口から空気を吸入し、この空気を清浄化した後、空気吐出口から清浄化された空気を吐出する空気流路を有する空気清浄機において、前記空気流路内に、すくなくとも、集塵フィルタ、脱臭フィルタ、触媒活性化手段、及び、送風手段を備えていて、前記脱臭フィルタが、前記触媒活性化手段により活性化されることにより前記空気吸入口から吸入した空気中の臭気原因物質を分解し得る触媒を具備する一方、前記触媒活性化手段が、前記触媒を活性化する脱臭フィルタ再生運転中に、前記空気流路を閉塞し得る一または複数の空気流路開閉手段を有することを特徴とするものである。
【０００７】
請求項２に係る発明の空気清浄機にあっては、請求項１記載の空気清浄機において、前記空気流路開閉手段を前記送風手段と前記空気吐出口との間に有することを特徴とするものである。
【０００８】
請求項３に係る発明の空気清浄機にあっては、請求項１または請求項２記載の空気清浄機において、前記空気流路開閉手段を前記空気吸入口と前記脱臭フィルタとの間に有することを特徴とするものである。
【０００９】
請求項４に係る発明の空気清浄機にあっては、請求項１乃至請求項３のいずれかに記載の空気清浄機において、前記脱臭フィルタ再生運転中に、前記空気流路開閉手段が前記空気流路を閉塞するとともに、前記送風手段を所定時間駆動せしめ得ることを特徴とするものである。
【００１０】
請求項５に係る発明の空気清浄機にあっては、請求項４記載の空気清浄機において、前記脱臭フィルタ再生運転終了に際して、前記触媒活性化手段の出力を停止した後、所定時間、前記送風手段を駆動せしめ得ることを特徴とするものである。
【００１１】
請求項６に係る発明の空気清浄機にあっては、請求項５記載の空気清浄機において、前記脱臭フィルタ再生運転終了に際して、前記触媒活性化手段の出力を停止した後、前記空気流路開閉手段が前記空気流路を開放する前の所定時間、前記送風手段を駆動せしめ得ることを特徴とするものである。
【００１２】
請求項７に係る発明の空気清浄機にあっては、請求項１乃至請求項６のいずれかに記載の空気清浄機において、前記脱臭フィルタ再生運転中に、前記空気流路開閉手段が前記空気流路を閉塞するとともに、前記触媒活性化手段を間欠的に所定時間停止せしめ得ることを特徴とするものである。
【００１３】
請求項８に係る発明の空気清浄機にあっては、請求項７記載の空気清浄機において、前記脱臭フィルタ再生運転終了に際して、前記触媒活性化手段の出力を停止した後、前記空気流路開閉手段が前記空気流路を開放する前の所定時間、前記触媒活性化手段の出力停止を継続せしめ得ることを特徴とするものである。
【発明の効果】
【００１４】
請求項１〜請求項３に係る発明の空気清浄機にあっては、空気吸入口から空気を吸入し、この空気を清浄化した後、空気吐出口から清浄化された空気を吐出する空気流路を有する空気清浄機において、前記空気流路内に、すくなくとも、集塵フィルタ、脱臭フィルタ、触媒活性化手段、及び、送風手段を備えていて、前記脱臭フィルタが、前記触媒活性化手段により活性化されることにより前記空気吸入口から吸入した空気中の臭気原因物質を分解し得る触媒を具備する一方、前記触媒活性化手段が、前記触媒を活性化する脱臭フィルタ再生運転中に、前記空気流路を閉塞し得る一または複数の空気流路開閉手段を有することを特徴とするので、脱臭フィルタ再生運転中に、前記空気流路を閉塞し得る一または複数の空気流路開閉手段の少なくとも１つを閉じることにより、臭気原因物質が生活空間内に再放出されることを防止し得るという優れた効果を奏する。
【００１５】
請求項４に係る発明の空気清浄機にあっては、請求項１乃至請求項３のいずれかに記載の空気清浄機において、脱臭フィルタ再生運転中に、空気流路開閉手段が空気流路を閉塞するとともに、送風手段を所定時間駆動せしめ得ることを特徴とするので、請求項１乃至請求項３のいずれかに記載の空気清浄機の発明の効果に加えて、送風手段を所定時間駆動することにより空気清浄機内部空間の空気を攪拌し、空気中に存在している臭気原因物質の分子の触媒に対する接触確率を向上せしめる結果、空気中のかかる臭気原因物質の触媒に対する吸着を促進せしめ、空気流路開閉手段が空気流路の閉塞を解除した際に、空気清浄機内部空間に存在した臭気原因物質が生活空間内に再放出されることを防止し得るという優れた効果を奏する。
【００１６】
請求項５に係る発明の空気清浄機にあっては、請求項４記載の空気清浄機において、前記脱臭フィルタ再生運転終了に際して、前記触媒活性化手段の出力を停止した後、所定時間、前記送風手段を駆動せしめ得ることを特徴とするので、請求項４記載の空気清浄機の発明の効果に加えて、効率的に臭気原因物質を触媒に吸着できる結果、空気清浄機の内部空間に存在した臭気原因物質が生活空間内に再放出されることを防止し得るという優れた効果を奏する。
【００１７】
請求項６に係る発明の空気清浄機にあっては、請求項５記載の空気清浄機において、脱臭フィルタ再生運転終了に際して、触媒活性化手段の出力を停止した後、空気流路開閉手段が空気流路を開放する前の所定時間、前記送風手段を駆動せしめ得ることを特徴とするので、請求項５記載の空気清浄機の発明の効果に加えて、空気流路開閉手段が空気流路を開放する前の所定時間に効率的に臭気原因物質を触媒に吸着できる結果、空気流路開閉手段が前記空気流路の閉塞を解除した際に、空気清浄機の内部空間に存在した臭気原因物質が生活空間内に再放出されることを一層効果的に防止し得るという優れた効果を奏する。
【００１８】
請求項７に係る発明の空気清浄機にあっては、請求項１乃至請求項６のいずれかに記載の空気清浄機において、脱臭フィルタ再生運転中に、空気流路開閉手段が空気流路を閉塞するとともに、前記触媒活性化手段を間欠的に所定時間停止せしめ得ることを特徴とするので、請求項１乃至請求項６のいずれかに記載の空気清浄機の発明の効果に加えて、空気清浄機の内部空間に存在している臭気原因物質の分子の触媒に対する吸着及びこれに続く分解を促進せしめ、空気流路開閉手段が空気流路の閉塞を解除した際に、空気清浄機内部空間に存在した臭気原因物質が生活空間内に再放出されることを、効果的に防止し得るという優れた効果を奏する。
【００１９】
請求項８に係る発明の空気清浄機にあっては、請求項７記載の空気清浄機において、脱臭フィルタ再生運転終了に際して、触媒活性化手段の出力を停止した後、空気流路開閉手段が空気流路を開放する前の所定時間、触媒活性化手段の出力停止を継続せしめ得ることを特徴とするので、請求項７記載の空気清浄機の発明の効果に加えて、前記空気流路開閉手段が空気流路を開放する前の所定時間に効率的に臭気原因物質を触媒に吸着できる結果、空気流路開閉手段が空気流路の閉塞を解除した際に、空気清浄機の内部空間に存在した臭気原因物質が生活空間内に再放出されることを防止し得るという優れた効果を奏する。
【発明を実施するための最良の形態】
【００２０】
以下、本発明の実施形態を図面に基づき説明する。尚、本発明の空気清浄機は、下記の実施形態にのみ限定されるものではなく、本発明の要旨を逸脱しない範囲内において種々変更を加え得ることは勿論である。ここで、図１は、本発明の一実施形態である空気清浄機の構成の概略を示すもので、（ａ）は、空気流路３に沿った断面図、（ｂ）は、（ａ）における背面板２５を隔壁２６の背後から見た図である。
【００２１】
即ち、図１に示すように、本実施形態の空気清浄機は、空気吸入口１から空気を吸入し、この空気を清浄化した後、空気吐出口２から清浄化された空気を吐出する空気流路３を有する空気清浄機であって、前記空気流路３内に、すくなくとも、集塵フィルタ４、脱臭フィルタ５、触媒活性化手段６、及び、送風手段７であるファン７ａを備えていて、脱臭フィルタ５が、触媒活性化手段６により活性化されることにより空気吸入口１から吸入した空気中の臭気原因物質を分解し得る触媒８を具備する一方、触媒活性化手段６が、触媒８を活性化する脱臭フィルタ再生運転中に、空気流路３を閉塞し得る一または複数の空気流路開閉手段９を有するものである。
【００２２】
また、本実施形態においては、脱臭効果を向上させるために、脱臭フィルタ５に、上記触媒８とともに吸着材１１として粒状活性炭を使用することとした。かかる吸着材１１としては、活性炭等の比表面積の大きな多孔質体が好適に使用可能であるが、特に、これらのみに制限されない。また、触媒８のみで充分な脱臭性能を確保し得る場合には、かかる吸着材１１は、必ずしも必須ではない。一方、活性炭等の吸着材１１と触媒８とを粉末レベルで混合した造粒物も好適に使用可能である。
【００２３】
さらに、触媒８としては、典型的には、酸化触媒、例えば、二酸化マンガン、酸化ニッケル、酸化銅、酸化チタン、酸化亜鉛、銀のいずれか、若しくは、これらの複合物を用いることができるが、対象とする特定の臭気原因物質に対する分解能力の高いものを選択するのが好ましい。上記臭気原因物質としては、硫化水素、メルカプタン類等の硫黄系化合物、アンモニア、アミン類、ＮＯX等の窒素系化合物、低級カルボン酸類、ホルムアルデヒド、アセトアルデヒド等のアルデヒド類等が実用上問題となる。一方、上記触媒活性化手段６としては、放電、加熱、光のうちの少なくとも１つからなるのが好ましい。
【００２４】
さらに、本実施形態においては、上記空気流路開閉手段９として、第１の空気流路開閉手段９ａを空気吸入口１と脱臭フィルタ５との間である空気吸入口１近傍に有している。また、第２の空気流路開閉手段９ｂを送風手段７と空気吐出口２との間に、第３の空気流路開閉手段９ｃを、これもまた、送風手段７と空気吐出口２との間である空気吐出口２近傍に有している。
【００２５】
また、本実施形態において、空気流路開閉手段９ａ（図１（ｂ）参照）は、蓋部１２を回転軸１３を中心として駆動部１４により回転移動せしめ、空気吸入口１を前記蓋部１２で塞ぐことにより空気流路３の閉塞及びその解除ができるというものである。空気流路開閉手段９ｂも、空気流路開閉手段９ａと同様に、蓋部１５を回転軸１６を中心として駆動部１７により回転移動せしめ、空気流路３の一部を構成する穴部１８を前記蓋部１５で塞ぐことにより空気流路３の閉塞及びその解除ができるというものである。一方、空気流路開閉手段９ｃは、開閉プレート１９をヒンジ部２０を回転軸として回転せしめ、空気吐出口２を前記開閉プレート１９で塞ぐことにより空気流路３の閉塞及びその解除ができるというものである。いうまでもなく空気流路開閉手段９の開閉方式は、上記図１に示した本実施形態に係るものに限定されず、例えば、図２は、上記空気流路開閉手段９ａ〜９ｃに対応する空気流路開閉手段９ｄ〜９ｆの内、空気流路開閉手段９ｄ、９ｅをスライド開閉方式とする例である。すなわち、空気流路開閉手段９ｄ（図２（ｂ）参照）は、蓋部２１を駆動部２２により水平移動せしめ、空気吸入口１を前記蓋部２１で塞ぐことにより空気流路３の閉塞及びその解除ができるというものである。空気流路開閉手段９ｅも、空気流路開閉手段９ｄと同様に、蓋部２３を駆動部２４により水平移動せしめ、空気流路３の一部を構成する穴部１８を前記蓋部２３で塞ぐことにより空気流路３の閉塞及びその解除ができるというものである。また、これらの空気流路開閉手段９を複数有する空気清浄機においては、かかる複数の空気流路開閉手段９を相互に独立して駆動させる方式としても、相互に同期させて駆動させる方式としてもよく、制限されない。
【００２６】
さらに、送風手段７であるファン７ａの位置についても、図３、図４に示すような実施形態も可能であり制限されない。
【００２７】
また、かかる空気流路開閉手段９の開閉機構としては、電磁弁方式、モータ方式、ファンモータとの連動機構方式等が使用可能であり、特に制限されない。一方、その制御方式においても、特に制限はなく、例えば、粉塵センサ、臭いセンサ等の各種センサ類を搭載する一方、かかる各種センサ類の検知出力に対応して開閉を制御する方法、或いは、所定のタイマ類を搭載し、これらにより開閉を制御する方法等も当然に可能である。さらに、これら搭載する空気流路開閉手段９の搭載個数、大きさ、開閉方式、搭載部位等においても制約はなく、効果的に臭気原因物質が生活空間内に再放出されることを防止し得る等、上記課題解決に寄与し得る限りにおいて何ら制限されない。
【００２８】
このように、かかる空気流路開閉手段９を、一または複数個搭載する結果、脱臭フィルタ再生運転中に、空気流路３を閉塞し得る一または複数の空気流路開閉手段９の少なくとも１つを閉じることにより、臭気原因物質が生活空間内に再放出されることを防止し得ることとなる。
【００２９】
一方、本実施形態の空気清浄機においては、上記脱臭フィルタ再生運転中に、空気流路開閉手段９（９ａ〜９ｃ）が空気流路３を閉塞するとともに、送風手段７（ファン７ａ）を所定時間駆動せしめることができるものである。
【００３０】
その結果、送風手段７を所定時間駆動することにより空気清浄機の内部空間１０の空気を攪拌し、空気中に存在している臭気原因物質の分子の触媒８に対する接触確率を向上せしめる結果、空気中に存在しているかかる臭気原因物質の分子の触媒８に対する吸着を促進せしめ、空気流路開閉手段９ａ〜９ｃが空気流路３の閉塞を解除した際に、空気清浄機内部空間６に存在した臭気原因物質が生活空間内に再放出されることを防止し得ることとなる。
【００３１】
特に、本実施形態の空気清浄機においては、上記脱臭フィルタ再生運転終了に際して、触媒活性化手段６の出力を停止した後、空気流路開閉手段９ａ〜９ｃが空気流路３を開放する前の所定時間、送風手段７を駆動せしめることができるものである。その結果、空気流路開閉手段９ａ〜９ｃが空気流路３を開放する前の所定時間に効率的に臭気原因物質を触媒８に吸着できる結果、空気流路開閉手段９ａ〜９ｃが空気流路３の閉塞を解除した際に、空気清浄機の内部空間１０に存在した臭気原因物質が生活空間内に再放出されることを防止し得ることとなる。
【００３２】
また、本実施形態の空気清浄機においては、脱臭フィルタ再生運転中に、空気流路開閉手段９ａ〜９ｃがが空気流路３を閉塞するとともに、触媒活性化手段６を間欠的に所定時間停止せしめ得るものである。その結果、空気清浄機の内部空間１０に存在している臭気原因物質の分子の触媒８に対する吸着及びこれに続く分解を促進せしめ、空気流路開閉手段９ａ〜９ｃが空気流路３の閉塞を解除した際に、空気清浄機の内部空間１０に存在した臭気原因物質が生活空間内に再放出されることを、効果的に防止し得ることとなる。
【００３３】
特に、本実施形態の空気清浄機においては、脱臭フィルタ再生運転終了に際して、触媒活性化手段６の出力を停止した後、空気流路開閉手段９ａ〜９ｃが空気流路３を開放する前の所定時間、触媒活性化手段６の出力停止を継続せしめ得るものである。その結果、空気流路開閉手段９ａ〜９ｃが空気流路３を開放する前の所定時間に効率的に臭気原因物質を触媒８に吸着できる結果、空気流路開閉手段９ａ〜９ｃが空気流路３の閉塞を解除した際に、空気清浄機の内部空間１０に存在した臭気原因物質が生活空間内に再放出されることを防止し得ることとなる。
【００３４】
また、本実施形態の空気清浄機の典型的な動作様式としては、動作（Ａ）〜（Ｃ）で示される以下のようなものが例示できる。
（Ａ）通常運転継続中。
（Ｂ）外部からの指令（手動ボタン等による外部指令、タイマ、センサ出力等による外部指令等）により通常運転を停止し、脱臭フィルタ再生運転モードに移行する。
（ａ）空気流路開閉手段９（９ａ〜９ｃ）により空気流路３を閉塞する。
（ｂ）送風手段７をＯＦＦとする。
（ｃ）触媒活性化手段６の出力をＯＮとし、脱臭フィルタ５（すなわち、脱臭フィルタ５中の触媒８）の再生を開始する。
（ｄ）脱臭フィルタ５の再生を所定時間継続する。
（ｅ）触媒活性化手段６の出力をＯＦＦとし、脱臭フィルタ５中の触媒８が、触媒活性化手段６の出力ＯＮとする以前の状態となるまでの所定時間、そのままの状態で保持する
（ｆ）さらに、空気清浄機の内部空間１０に存在している臭気原因物質の分子が、脱臭フィルタ５中の触媒８に充分吸着するまでの所定時間、そのままの状態で保持する。
（ｇ）（ｃ）〜（ｆ）を所定回数繰り返す。
（ｈ）送風手段７をＯＮとする。
（ｉ）触媒活性化手段６の出力をＯＮとし、脱臭フィルタ５（触媒８）の再生を開始する。
（ｊ）脱臭フィルタ５の再生を所定時間継続する。
（ｋ）触媒活性化手段６の出力をＯＦＦとし、脱臭フィルタ５の触媒８が、触媒活性化手段６の出力ＯＮとする以前の状態となるまでの所定時間、そのままの状態で保持する
（ｌ）さらに、空気清浄機の内部空間１０に存在している臭気原因物質の分子が、脱臭フィルタ５中の触媒８に充分吸着するまでの所定時間、そのままの状態で保持する。
（ｍ）空気流路開閉手段９（９ａ〜９ｃ）により空気流路３の閉塞を解除する。
（Ｃ）通常運転を再開する。
【００３５】
なお、上記動作様式では、脱臭フィルタ再生運転中に、空気流路開閉手段９（９ａ〜９ｃ）がが空気流路３を閉塞するとともに、触媒活性化手段６を間欠的に所定時間停止せしめるようにしている。その結果、空気清浄機の内部空間１０に存在している臭気原因物質の分子の脱臭フィルタ５中の触媒８に対する吸着及びこれに続く分解を促進せしめ、空気流路開閉手段９が空気流路３の閉塞を解除した際に、空気清浄機の内部空間１０に存在した臭気原因物質が生活空間内に再放出されることを、効果的に防止し得ることとなる。
【００３６】
特に、上記動作様式では、通常運転再開直前の脱臭フィルタ再生運転終了に際して、触媒活性化手段６の出力を停止した後、空気流路開閉手段９が空気流路３を開放する前の所定時間、触媒活性化手段６の出力停止を継続せしめるようにしており、その結果、空気流路開閉手段９が空気流路３を開放する前の所定時間に効率的に臭気原因物質を触媒８に吸着できることとなる。
【００３７】
また、上記動作様式では、通常運転再開直前の脱臭フィルタ５（すなわち、脱臭フィルタ５中の触媒８）の再生時にのみ送風手段７をＯＮとしたが、特に、通常運転再開直前の脱臭フィルタ再生運転終了に際して、触媒活性化手段６の出力を停止（ＯＦＦ）した後、空気流路開閉手段９が空気流路３を開放する前の所定時間、送風手段７を駆動せしめることにより、空気流路開閉手段９が空気流路３を開放する前の所定時間に効率的に臭気原因物質を触媒８に吸着できる結果、空気流路開閉手段９が空気流路３の閉塞を解除した際に、空気清浄機の内部空間１０に存在した臭気原因物質が生活空間内に再放出されることを防止し得ることとなる。
【００３８】
一方、本実施形態では、上記動作様式と異なり、空気流路開閉手段９により空気流路３を閉塞した後、脱臭フィルタ５の再生運転中、終始、送風手段７をＯＮとする動作様式も当然に可能である。すなわち、このようにすることにより、空気清浄機の内部空間１０の空気を攪拌し、空気中に存在している臭気原因物質の分子の触媒８に対する接触確率を向上せしめる結果、空気中に存在しているかかる臭気原因物質の分子の触媒８に対する吸着を促進せしめることが可能となる。
【図面の簡単な説明】
【００３９】
【図１】本発明の一実施形態である空気清浄機の構成の概略を示すもので、（ａ）は、空気流路３に沿った断面図、（ｂ）は、（ａ）における背面板２５を隔壁２６の背後から見た図である。
【図２】本発明の上記と異なる実施形態である空気清浄機の構成の概略を示すもので、（ａ）は、空気流路３に沿った断面図、（ｂ）は、（ａ）における背面板２５を隔壁２６の背後から見た図である。
【図３】本発明の上記とさらに異なる実施形態である空気清浄機の構成の概略を示すもので、（ａ）は、空気流路３に沿った断面図、（ｂ）は、（ａ）における背面板２５を隔壁２６の背後から見た図である。
【図４】本発明の上記の３実施形態とさらに異なる実施形態である空気清浄機の構成の概略を示すもので、（ａ）は、空気流路３に沿った断面図、（ｂ）は、（ａ）における背面板２５を隔壁２６の背後から見た図である。
【符号の説明】
【００４０】
１    空気吸入口
２    空気吐出口
３    空気流路
４    集塵フィルタ
５    脱臭フィルタ
６    触媒活性化手段
７    送風手段
７ａ  ファン（送風手段７）
８    触媒（脱臭フィルタ５）
９    空気流路開閉手段
９ａ  空気流路開閉手段
９ｂ  空気流路開閉手段
９ｃ  空気流路開閉手段
９ｄ  空気流路開閉手段
９ｅ  空気流路開閉手段
９ｆ  空気流路開閉手段
１０    内部空間
１１    吸着材（脱臭フィルタ５）
１２    蓋部（空気流路開閉手段９ａ）
１３    回転軸（空気流路開閉手段９ａ）
１４    駆動部（空気流路開閉手段９ａ）
１５    蓋部（空気流路開閉手段９ｂ）
１６    回転軸（空気流路開閉手段９ｂ）
１７    駆動部（空気流路開閉手段９ｂ）
１８    穴部（空気流路３）
１９    開閉プレート（空気流路開閉手段９ｃ、９ｆ）
２０    ヒンジ部（空気流路開閉手段９ｃ、９ｆ）
２１    蓋部（空気流路開閉手段９ｄ）
２２    駆動部（空気流路開閉手段９ｄ）
２３    蓋部（空気流路開閉手段９ｅ）
２４    駆動部（空気流路開閉手段９ｅ）
２５    背面板
２６    隔壁
【図１】
2005098621.tif 000003
【図２】
2005098621.tif 000004
【図３】
2005098621.tif 000005
【図４】
2005098621.tif 000006